(57)【特許請求の範囲】
【請求項１】
情報を表示する表示手段と、情報を入力する入力手段と、他の電子機器との通信を行う通信手段とを備えた携帯型の電子機器において、
前記入力手段から入力された情報を前記表示手段及び前記通信手段に出力する入力情報出力手段と、前記通信手段で送受信した情報を前記表示手段に出力するログ情報出力手段と、該ログ情報出力手段からの出力により前記表示手段で表示された情報のうち、任意の情報をユーザ選択に基づき選択する情報選択手段と、該情報選択手段で選択された選択情報を前記表示手段に出力する選択情報出力手段とを備え、
前記表示手段は、前記入力情報出力手段から出力された入力情報と、前記ログ情報出力手段から出力されたログ情報とを、同一画面上に重ならないように同時に分割表示する分割表示手段を有し、
該分割表示手段は、前記情報選択手段で前記任意の情報がユーザ選択されたときに、前記ログ情報の表示領域を変更し、前記入力情報及び前記ログ情報の表示領域に重ならない位置に前記選択情報を、前記入力情報及び前記ログ情報と共に同一画面上に同時に分割表示することを特徴とする携帯型の電子機器。
【請求項２】
前記情報選択手段は、前記任意の情報として複数の情報を選択する手段を有し、前記選択情報出力手段は、前記情報選択手段で選択された複数の選択情報を前記表示手段に出力する手段を有し、前記分割表示手段は、前記出力された複数の選択情報のそれぞれを、同一画面上に同時に分割表示する手段を有することを特徴とする請求項１に記載の携帯型の電子機器。
【請求項３】
前記入力情報、前記ログ情報、前記選択情報のいずれかの表示領域を選択する選択手段を備え、前記分割表示手段は、前記選択手段で選択された表示領域を操作可能画面として、他の非選択の表示領域を操作不能画面として、識別可能に表示する手段を有することを特徴とする請求項１又は２に記載の携帯型の電子機器。
【請求項４】
前記ログ情報出力手段は、前記表示手段で表示されたログ情報のうち、前記情報選択手段で選択された選択情報を他の非選択情報と識別可能に表示するように、前記表示手段に出力する手段を有することを特徴とする請求項１乃至３のいずれか１項に記載の携帯型の電子機器。
【請求項５】
前記選択情報出力手段で出力された選択情報を解除し、前記表示手段での表示を解除する選択情報表示解除手段を備えたことを特徴とする請求項１乃至４のいずれか１項に記載の携帯型の電子機器。
【請求項６】
前記選択情報表示解除手段は、ユーザから前記選択情報の表示解除指示操作を受け付ける手段と、該表示解除指示操作がなされたことを検出して、前記表示手段での選択情報の表示を解除する手段とを有することを特徴とする請求項５に記載の携帯型の電子機器。
【請求項７】
前記選択情報表示解除手段は、前記選択情報に対する応答として前記入力手段による情報の入力が完了したことを検出して、前記表示手段での選択情報の表示を解除する手段を有することを特徴とする請求項５に記載の携帯型の電子機器。
【請求項８】
前記選択情報表示解除手段は、前記選択情報に対する応答として前記入力情報を前記通信手段で送信後に、前記表示手段での選択情報の表示を解除する手段を有することを特徴とする請求項５に記載の携帯型の電子機器。
【請求項９】
前記選択情報出力手段は、前記情報選択手段で情報が選択された際、以前に出力していた情報に差し替えて前記表示手段へ出力する手段を有することを特徴とする請求項１乃至８のいずれか１項に記載の携帯型の電子機器。
【請求項１０】
前記分割表示手段は、前記入力情報出力手段から出力された入力情報と、前記ログ情報出力手段から出力されたログ情報と、前記選択情報出力手段から出力された選択情報とに対し、それぞれの画面上の表示領域の割合を可変させる手段を有することを特徴とする請求項１乃至９のいずれか１項に記載の携帯型の電子機器。
【請求項１１】
前記入力情報出力手段は、前記入力手段から入力された情報の他に、前記情報選択手段で選択された選択情報に含まれる従属情報を含む定型文の情報を、前記表示手段及び／又は前記通信手段へ出力する手段を有することを特徴とする請求項１乃至１０のいずれか１項に記載の携帯型の電子機器。
【請求項１２】
前記入力情報出力手段は、前記入力手段から入力された情報の他に、前記情報選択手段で選択された選択情報を、前記表示手段及び／又は前記通信手段へ出力する手段を有することを特徴とする請求項１乃至１０のいずれか１項に記載の携帯型の電子機器。
【請求項１３】
前記情報選択手段は、前記ログ情報出力手段からの出力により前記表示手段で表示された情報から、所定情報を抽出し、該抽出した所定情報に係わるログ情報を選択する手段を有することを特徴とする請求項１乃至１２のいずれか１項に記載の携帯型の電子機器。
【請求項１４】
前記分割表示手段は、前記ログ情報の表示領域をスクロール表示することを特徴とする請求項１乃至１３のいずれか１項に記載の携帯型の電子機器。
【請求項１５】
当該携帯型の電子機器は、携帯電話機又は携帯情報端末であることを特徴とする請求項１乃至１４のいずれか１項に記載の携帯型の電子機器。
【請求項１６】
請求項１乃至１５のいずれか１項に記載の携帯型の電子機器に組み込み、前記入力情報出力手段、前記ログ情報出力手段、前記選択情報出力手段、及び前記分割表示手段として、前記電子機器の演算処理装置を機能させるためのプログラム。
【発明の詳細な説明】
【技術分野】
【０００１】
本発明は、携帯型の電子機器及びプログラムに関し、より詳細には、通信手段を用いてチャットを実行することが可能な、携帯電話機や携帯情報端末（ＰＤＡ）やモバイルパーソナルコンピュータ（ＰＣ）等の携帯型の電子機器、及びその携帯型の電子機器に組み込むためのプログラムに関する。
【０００２】
近年、携帯電話の普及と通信料金の定額化の流れに乗って、複数人数でのチャットの利用がされている。また、一部地域ではＰｏＣ（Ｐｕｓｈ  ｔｏ  Ｔａｌｋ  Ｏｖｅｒ  ｔｈｅ  Ｃｅｌｌｕｌａｒ）のサービス導入によって大人数での文字／画像通信の更なる普及が期待されている。なお、ＰｏＣとは、トランシーバや業務用無線のように話者がボタンを押すことで交互にやり取りする通話機能で、１対１の通話はもちろん、複数の相手を登録したグループ内の一斉同報通話にも使えるものである。
【０００３】
携帯電話をはじめとする通信ネットワークを利用した電子機器において、大人数が参加してチャットを行っている場合、各人が入力した文字や画像や音楽ファイルの情報が次々と画面上に表示される。そして、短い会話でない限り、表示画面は情報で直ぐに埋まってしまい、自動的にスクロールされ次々と新しい情報に書き換えられていく。
【０００４】
特開昭５９−１３２８１号公報には、表示器の画面を分割し、一方を可動領域、他方を固定領域とするとともに可動領域の画面だけスクロ−ル表示を可動として、次の情報の入力を容易にする画面表示器が開示されている。この画面表示器では、表示器の表示用第１ＲＡＭは固定領域に表示されるデ−タを格納するためのものであり、表示用第２ＲＡＭは可動領域に表示されるデ−タを格納するものである。第１ＲＡＭのデ−タは表示制御部を通して表示器に表示されるが、第２ＲＡＭのデ−タはスクロール制御部により移動される。つまり移動用の一時メモリを使い、表示用第２ＲＡＭの一部を、一時メモリに移し、再び表示用第２ＲＡＭの異なる部分に格納する。これを繰り返すことにより表示用第２ＲＡＭのデ−タを移動させる。表示については第１ＲＡＭと同様である。
【０００５】
特開平４−６０５８９号公報には、物理画面上の一ないし二点を指示するだけで物理画面を分割することにより、操作の簡単な分割スクロール方式の実現を図る分割スクロール方式が開示されている。この方式では、物理画面の中でスクロールを固定して物理画面上に留めておきたいと思う領域の対角点を指定すると指定された領域はスクロール固定領域となる。その後、縦スクロール手段や横スクロール手段によって物理画面を論理画面上で移動させても、スクロール固定領域内の表示は変化しない。このように画面を複数の領域に分割する手段は物理画面上の一ないし二点を指定することにより物理画面を複数の領域に分割してそれぞれの領域が対応する論理画面の位置を記憶する。これにより物理画面上の一部分をスクロール固定領域としたり、論理画面上の離れた領域を同一の物理画面上に同時に表示することが可能になる。
【０００６】
特開２００３−１０８３６１号公報には、所定の表示情報が設定された所定の表示領域を越える場合に、表示情報の大きさと表示画面の設定情報に応じて、表示情報を分割して表示する表示処理装置が開示されている。この表示処理装置は、所定の表示情報に基づいて出力画面の制御を行う装置であって、表示情報に含まれる出力画面の大きさに応じて可変表示されうる第一の部品データ及び固定表示されうる第二の部品データと表示情報の表示に関する表示設定情報を抽出する部品データ抽出手段と、表示装置の表示に関する装置設定情報を抽出する設定情報抽出手段と、抽出した表示設定情報と装置表示情報を比較する比較手段と、比較の結果に応じて第一の部品データをスクロール可能な状態で表示するとともに第二の部品データをスクロール可能な状態で表示しない表示処理手段とを備えている。同公報には、具体的には、情報量に応じて画面を分割して表示させ、分割画面の一つをスクロール可能画面とし、もう一つをスクロール不可能画面として使う仕組みが開示されている。
【発明の開示】
【発明が解決しようとする課題】
【０００７】
上述のごとく、通信ネットワークを利用した電子機器においてチャットを行っている場合、自動的にスクロールされ、次々と新しい情報に書き換えられていくが、大人数でチャットを行っていると、自分があるメッセージに対して返事をしようと文字入力をしている最中に、他の参加者が会話を進めてしまうことが往々にしてある。この場合、画面がスクロールしてしまい、自分がどのメッセージに対してコメントをしようとしていたのか混乱することもしばしばであった。
【０００８】
特に、携帯電話やＰＤＡなどのモバイル機器は、表示画面が小さく、表示画面をスクロールせねば全情報を閲覧することができないことも多々ある上に、大勢でチャットを行うときには大人数で情報の書き込みが行われるため、すぐに表示画面がスクロールしてしまい、コメントしたい情報が表示画面から外れてしまうこともしばしばある。また、モバイル機器でなくＰＣ等の他種の電子機器であっても、大勢でチャットを行う際や熟練者同士により高速で入力されるチャットの場合には、同様にコメントしたい情報が表示画面から外れてしまうことはしばしばある。ここで、チャットとしては、インスタントメッセージの送受信及びその表示によって実行するものも含むものとする。
【０００９】
上述の特開昭５９−１３２８１号公報の画面表示器は、単に画面を分けて表示する際のメモリの使い方について述べられているものであり、チャットでの自動的なスクロールを前提としていないだけでなく、上述のごとき課題を解決できるものではない。
【００１０】
上述の特開平４−６０５８９号公報の分割スクロール方式では、スクロール画面上の任意の対角点を指定することによって、指定領域はスクロール画面とは別に固定領域として表示されるので、スクロール画面がスクロールしても指定領域は固定されたまま表示されるが、同公報での固定領域は指定した物理画面上にそのまま固定され、背面に表示されているスクロール画面の一部を隠蔽してしまうという問題があった。また、同公報の別の例では、画面を縦分割又は横分割して片方を固定画面とし、もう一方をスクロール画面として表示する、というものであるが、これはグラフィック上の座標であり、文字の行や列とは関係がない。さらに、同公報では、チャットでの自動的なスクロールを前提としていない。従って、同公報に開示された技術でも、上述のごとき課題を解決できるものではない。
【００１１】
上述の特開２００３−１０８３６１号公報の表示処理装置では、表示する情報が表示装置の表示領域を越える場合に、自動的に表示する情報量に応じて画面を分割して、分割画面の一つをスクロール可能画面とするものであり、一般的な画面分割表示について示されているが、チャットや文字通信におけるあるメッセージに対して応答する際の画面構成について言及しているものではない。従って、同公報に開示された技術でも、上述のごとき課題を解決できるものではない。
【００１２】
本発明は、上述のごとき実情に鑑みてなされたものであり、その目的は、携帯型の電子機器において、チャットを行うときにログ情報画面上に表示されているログ情報の中から任意の情報を取り出し、ログ情報画面とは別に表示することによって、選択した情報を見ながらその情報に対するコメントの入力が行えるようにすることにある。
【００１３】
上述の課題を解決するために、本発明の第１の技術手段は、情報を表示する表示手段と、情報を入力する入力手段と、他の電子機器との通信を行う通信手段とを備えた携帯型の電子機器において、前記入力手段から入力された情報を前記表示手段及び前記通信手段に出力する入力情報出力手段と、前記通信手段で送受信した情報を前記表示手段に出力するログ情報出力手段と、該ログ情報出力手段からの出力により前記表示手段で表示された情報のうち、任意の情報をユーザ選択に基づき選択する情報選択手段と、該情報選択手段で選択された選択情報を前記表示手段に出力する選択情報出力手段とを備え、前記表示手段は、前記入力情報出力手段から出力された入力情報と、前記ログ情報出力手段から出力されたログ情報とを、同一画面上に重ならないように同時に分割表示する分割表示手段を有し、該分割表示手段は、前記情報選択手段で前記任意の情報がユーザ選択されたときに、前記ログ情報の表示領域を変更し、前記入力情報及び前記ログ情報の表示領域に重ならない位置に前記選択情報を、前記入力情報及び前記ログ情報と共に同一画面上に同時に分割表示することを特徴としたものである。
【００１４】
第２の技術手段は、第１の技術手段において、前記情報選択手段は、前記任意の情報として複数の情報を選択する手段を有し、前記選択情報出力手段は、前記情報選択手段で選択された複数の選択情報を前記表示手段に出力する手段を有し、前記分割表示手段は、前記出力された複数の選択情報のそれぞれを、同一画面上に同時に分割表示する手段を有することを特徴としたものである。
【００１５】
第３の技術手段は、第１又は第２の技術手段において、前記入力情報、前記ログ情報、前記選択情報のいずれかの表示領域を選択する選択手段を備え、前記分割表示手段は、前記選択手段で選択された表示領域を操作可能画面として、他の非選択の表示領域を操作不能画面として、識別可能に表示する手段を有することを特徴としたものである。
【００１６】
第４の技術手段は、第１乃至第３のいずれかの技術手段において、前記ログ情報出力手段は、前記表示手段で表示されたログ情報のうち、前記情報選択手段で選択された選択情報を他の非選択情報と識別可能に表示するように、前記表示手段に出力する手段を有することを特徴としたものである。
【００１７】
第５の技術手段は、第１乃至第４のいずれかの技術手段において、前記選択情報出力手段で出力された選択情報を解除し、前記表示手段での表示を解除する選択情報表示解除手段を備えたことを特徴としたものである。
【００１８】
第６の技術手段は、第５の技術手段において、前記選択情報表示解除手段は、ユーザから前記選択情報の表示解除指示操作を受け付ける手段と、該表示解除指示操作がなされたことを検出して、前記表示手段での選択情報の表示を解除する手段とを有することを特徴としたものである。
【００１９】
第７の技術手段は、第５の技術手段において、前記選択情報表示解除手段は、前記選択情報に対する応答として前記入力手段による情報の入力が完了したことを検出して、前記表示手段での選択情報の表示を解除する手段を有することを特徴としたものである。
【００２０】
第８の技術手段は、第５の技術手段において、前記選択情報表示解除手段は、前記選択情報に対する応答として前記入力情報を前記通信手段で送信後に、前記表示手段での選択情報の表示を解除する手段を有することを特徴としたものである。
【００２１】
第９の技術手段は、第１乃至第８のいずれかの技術手段において、前記選択情報出力手段は、前記情報選択手段で情報が選択された際、以前に出力していた情報に差し替えて前記表示手段へ出力する手段を有することを特徴としたものである。
【００２２】
第１０の技術手段は、第１乃至第９のいずれかの技術手段において、前記分割表示手段は、前記入力情報出力手段から出力された入力情報と、前記ログ情報出力手段から出力されたログ情報と、前記選択情報出力手段から出力された選択情報とに対し、それぞれの画面上の表示領域の割合を可変させる手段を有することを特徴としたものである。
［００２３］
第１１の技術手段は、第１乃至第１０のいずれかの技術手段において、前記入力情報出力手段は、前記入力手段から入力された情報の他に、前記情報選択手段で選択された選択情報に含まれる従属情報を含む定型文の情報を、前記表示手段及び／又は前記通信手段へ出力する手段を有することを特徴としたものである。
［００２４］
第１２の技術手段は、第１乃至第１０のいずれかの技術手段において、前記入力情報出力手段は、前記入力手段から入力された情報の他に、前記情報選択手段で選択された選択情報を、前記表示手段及び／又は前記通信手段へ出力する手段を有することを特徴としたものである。
［００２５］
第１３の技術手段は、第１乃至第１２のいずれかの技術手段において、前記情報選択手段は、前記ログ情報出力手段からの出力により前記表示手段で表示された情報から、所定情報を抽出し、該抽出した所定情報に係わるログ情報を選択する手段を有することを特徴としたものである。
【００２６】
第１４の技術手段は、第１乃至第１３のいずれかの技術手段において、前記分割表示手段は、前記ログ情報の表示領域をスクロール表示することを特徴としたものである。
第１５の技術手段は、第１乃至第１４のいずれかの技術手段において、当該携帯型の電子機器は、携帯電話機又は携帯情報端末であることを特徴としたものである。
第１６の技術手段は、第１乃至第１５のいずれかの技術手段における携帯型の電子機器に組み込み、前記入力情報出力手段、前記ログ情報出力手段、前記選択情報出力手段、及び前記分割表示手段として、前記電子機器の演算処理装置を機能させるためのプログラムである。
発明の効果
［００２７］
本発明によれば、チヤットを行うときにログ情報画面上に表示されているログ情報の中から任意の情報を取り出し、ログ情報画面とは別に表示することによって、選択した情報を見ながらその情報に対するコメントの入力が行えるようになる。
【図面の簡単な説明】
［００２８］
［図１］本発明の一実施形態に係る、オンラインチャットを行う電子機器の基本的な構成例を示すブロック図である。
［図２］図１の電子機器の表示画面の一例を示す図である。
［図３］図１の電子機器におけるデータの流れを具体的に説明するためのブロック図である。
［図４］図１の電子機器における基本的な画面構成例を示す図である。
【図５】図２の表示画面におけるメモリ間の情報のやり取りを説明するための図である。
【図６】図１の電子機器における処理の流れの一例を説明するための図である。
【図７】図１の電子機器における他の画面構成例を示す図である。
【図８】図１の電子機器における他の画面構成例を示す図である。
【図９】図１の電子機器における他の画面構成例を示す図である。
【図１０】図１の電子機器における他の画面構成例を示す図である。
【図１１】図１の電子機器における他の画面構成例を示す図である。
【図１２】図１の電子機器における他の画面構成例を示す図である。
【符号の説明】
【００２９】
１…電子機器、１１…通信Ｉ／Ｆ、１２…通信制御部、１３…画像処理部、１４…撮像部、１５…不揮発性メモリ、１６…主制御部、１７…揮発性メモリ、１８…スピーカ、１９…表示ドライバ、２０…表示部、２１…マイク、２２…操作入力部、３０…表示画面、３１…ログ画面（ログ表示部）、３１ａ…強調表示部、３１Ｄ…送信側選択情報、３２…文字入力画面（入力情報表示部）、３２ａ…入力情報表示部ａ、３２ｂ…入力情報表示部ｂ、３２Ａ…太枠強調部、３２Ｂ…色強調部、３２Ｃ，３３Ｃ…従属情報、３３Ｄ…自動選択情報、３３…選択情報画面（選択情報表示部）、３３ａ…選択情報表示部ａ、３３ｂ…選択情報表示部ｂ、３４…可変バー。
【発明を実施するための最良の形態】
【００３０】
図１は、本発明の一実施形態に係る、オンラインチャットを行う電子機器の基本的な構成例を示すブロック図で、図２は、図１の電子機器の表示画面の一例を示す図である。図１で例示する電子機器１としては、携帯電話機をはじめ、ＰＤＡやモバイルＰＣなど、携帯型で且つオンラインチャットが可能な電子機器、つまり携帯型の情報処理装置が該当する。図２の表示画面３０は、携帯電話の表示部に表示された画面例である。
【００３１】
本発明に係る電子機器１は、文字、画像ファイルや音楽ファイル等、様々な情報を入力する入力手段と、それらの情報を表示する表示手段と、他の電子機器との通信を行う通信手段とを備え、チャットを可能とする。ここで、チャットとしては、インスタントメッセージの送受信及びその表示によって実行するものも含むものとする。本発明は、後述するように、チャットにおける画面表示方法（画面表示方式）において、主たる特徴をもつ。
【００３２】
以下、入力手段はキー入力や操作等を行うための操作入力部２２により、表示手段は表示部２０（及び表示ドライバ１９）により、それぞれ例示する。通信手段は、有線／無線、シリアル／パラレル、アウトバンド／インバンドを問わず、他の電子機器との通信を行う手段であって、具体的にはＲＳ２３２Ｃ、Ｂｌｕｅｔｏｏｔｈ、無線ＬＡＮ、赤外線通信、Ｅｔｈｅｒｎｅｔ（登録商標）、ＵＳＢ、ＩＳＤＮ回線、Ｗ−ＣＤＭＡ、ＣＤＭＡ２０００等が挙げられる。以下、通信手段は通信インターフェイス部（通信Ｉ／Ｆ）１１及び通信制御部１２により例示する。
【００３３】
電子機器１は、通信部（通信Ｉ／Ｆ１１及び通信制御部１２）と表示部２０と文字入力及び操作入力部２２、それらを制御する主制御部１６、並びに、データを処理するメモリ（揮発性メモリ１７及び不揮発性メモリ１５）等から構成されており、その他の入力インターフェイスとして撮像部１４やマイク２１等を備えていてもよい。図１では、電子機器１が、通信Ｉ／Ｆ１１、通信制御部１２、画像処理部１３、撮像部１４、不揮発性メモリ１５、揮発性メモリ１７、スピーカ１８、表示ドライバ１９、表示部２０、マイクロフォン（マイク）２１、操作入力部２２、及びそれらを制御する主制御部１６で構成される例を示している。
【００３４】
電子機器１は、通信Ｉ／Ｆ１１を通信制御部１２で制御することにより、無線通信又は有線通信を行う。無線又は有線のいずれの通信であるかは電子機器１の仕様や使用方法によるものとする。撮像部１４は写真や映像を撮影するためのカメラであり、撮像部１４で撮影された画像は画像処理部１３にて画像処理が施され、不揮発性メモリ１５等に保存される。揮発性メモリ１７は、画像処理部１３、主制御部１６、及び表示ドライバ１９のバッファメモリとして用いられる。表示ドライバ１９は、液晶表示装置等の表示部２０で画像を表示するためのドライバである。スピーカ１８及びマイク２１は通話時に主として用いられ、スピーカ１８はコンテンツ再生時や着信時などにも音声を発し、マイク２１は電子機器１の操作用など、他の音声入力時にも用いられる。
【００３５】
また、上述のごとく、入力される情報は文字情報の他に音声情報や画像情報であってもよい。文字情報は、操作入力部２２での入力に留まらず、マイク２１からの音声入力処理と入力された音声を文字に変換する音声文字変換処理とによって実行してもよい。また、画像情報としては、撮像部１４やネットワーク経由や記録媒体などから読み込んだ画像ファイルのリンク先を操作入力部２２で貼り付けるなどして入力したり、画像ファイル（音楽ファイルも同様）そのものを文字と同様に貼り付けたりして、表示部２０及び通信中の他の電子機器の表示部に表示させ、それを選択した他の電子機器のユーザが画像の閲覧（音楽の視聴）を可能とするとよい。
【００３６】
本発明に係る電子機器１は、他の電子機器とのチャットを実行するために、入力情報出力手段及びログ情報出力手段を備える。入力情報出力手段は、操作入力部２２から入力された情報を表示部２０で表示させるように表示部２０に（実際には表示ドライバ１９を介して）出力する。その結果、表示画面３０上の文字入力画面３２に、入力中の文字やファイル名等が表示される。文字入力画面３２では、図示するように、現在入力した語句に対する変換候補を表示するようにしてもよい。また、入力情報出力手段は、操作入力部２２から入力された情報を送信するために、その情報を表示部２０だけでなく通信部の通信Ｉ／Ｆ１１へも出力する。
【００３７】
ログ情報出力手段は、通信Ｉ／Ｆ１１から送受信した情報を時系列に表示部２０で表示させるように表示部２０に（実際には表示ドライバ１９を介して）出力する。その結果、表示画面３０上のログ画面３１に、チャットのログとして文字やファイル名等が表示される。ログは送受の度に追記される形で表示される。ログ画面３１の表示面積には限りがあり、その表示面積分に収まる最新のログが、過去のログをスクロール可能に表示されることとなる。なお、入力情報出力手段で表示部２０の文字入力画面３２に表示される情報は、利用者がその情報の送信を確定する操作を実行することで、ログ情報出力手段によって表示部２０のログ画面３１の一情報として表示されることとなる。
【００３８】
なお、この入力情報出力手段は、表示部２０と併せて、キーボード、マイク、カメラ等で入力された文字や画像データ等を表示する入力情報表示手段であるとも言える。また、このログ情報出力手段は、表示部２０と併せて、入力情報表示手段に表示された内容や通信手段から受信した情報の表示を行うログ表示手段であるとも言える。
【００３９】
さらに、本発明の主たる特徴として、電子機器１は、情報選択手段及び選択情報出力手段を備える。情報選択手段は、ログ情報出力手段からの出力により表示部２０のログ画面３１で表示された情報のうち、任意の情報をユーザ選択に基づき選択する。ユーザによるこの選択は、操作入力部２２等の操作によって実行可能としておけばよい。メッセージの具体的な選択方法としては、マウス等のポインティングデバイスでメッセージを選択する方法、キーボードや十字キーでカーソルを移動させて選択する方法、メッセージ番号を入力指定する方法など、様々な方法が採用できる。
【００４０】
選択情報出力手段は、情報選択手段で選択された情報を、表示部２０に別途表示させるように表示部２０に（実際には表示ドライバ１９を介して）出力する。その結果、表示画面３０上の選択情報画面３３に、情報選択手段で選択された情報（例えば「待ち合わせ場所が上野に変更になった」という情報）として、文字やファイル名等が表示される。
【００４１】
上述のごとき分割表示を可能とするために、表示手段は次の分割表示手段を有するものとする。この分割表示手段は、入力情報出力手段から出力された情報（入力情報）と、ログ情報出力手段から出力された情報（ログ情報）と、選択情報出力手段から出力された情報（選択情報）とを、同一画面上に同時に分割表示する手段である。この分割表示手段は、利用者によって情報選択手段で選択されたログ表示されている情報を、選択情報出力手段によって表示部２０へ出力することにより、選択された情報をログ表示領域と別の表示領域に表示することを可能とする。勿論、表示部２０の表示画面３０には、ログ表示領域（ログ画面３１）と選択情報の表示領域（選択情報画面３３）だけでなく、入力情報の表示領域（文字入力画面３２）もあり、任意の選択情報を常に表示させながら文字や画像等を入力することができる。
【００４２】
上述の入力情報出力手段、ログ情報出力手段、選択情報出力手段（及び情報選択手段の一部）、及び分割表示手段は、図１で例示した構成においては、実行可能に格納されたプログラムとして主制御部１６に組み込まれている。このプログラムは、例えば不揮発性メモリ１５又は主制御部１６内部のＲＯＭ（書き換え可能なＲＯＭでもよい）に格納され、主制御部１６内部のＣＰＵによって、揮発性メモリ１７又は主制御部１６内部の作業領域としてのＲＡＭに読み出され実行される。
【００４３】
このように、本発明は、上述のごとき電子機器１に組み込み、上述の入力情報出力手段、ログ情報出力手段、選択情報出力手段（及び情報選択手段の一部）、及び分割表示手段として、電子機器１の主制御部１６（主制御部１６内の演算処理装置）を機能させるためのプログラムとしての形態も採用できる。また、本発明は、これらプログラムを記録したコンピュータ読取可能な、ＦＤ、ＣＤ、ＤＶＤ、ＭＯ、ＵＳＢメモリ等の記録媒体としての形態も採用できる。
【００４４】
上述のごとき構成により、オンラインチャットを行う場合、他の電子機器から送られた情報は、通信Ｉ／Ｆ１１で受信し、表示ドライバ１９によって表示部２０のログ画面３１に表示される。一方、自端末（電子機器１）から情報を送信する場合、操作入力部２２で入力された情報は、一旦表示ドライバ１９によって表示部２０の文字入力画面３２に表示し、送信確定後、通信Ｉ／Ｆ１１を介して他の電子機器に送信され、他人の情報と共にログ画面３１に表示される。なお、チャットサーバなどを設置している場合などでは、操作入力部２２で入力された情報を直接表示部２０に表示せずに、チャットサーバに送信し、他の電子機器からのログ情報と共に受信して表示部２０で表示させるような形態であってもよい。
【００４５】
まず、上述の入力情報出力手段、ログ情報出力手段、及びそれらの出力を分割表示する分割表示手段だけによって、表示部２０での表示が制御されていた場合、利用者が特定のメッセージＡのスクロールを止めて文章を作成している最中であっても、他の参加者がメッセージＢ，Ｃ，Ｄ，…を送っていると、それらのメッセージＢ，Ｃ，Ｄ，…はスクロール画面に随時表示されスクロールされる。すなわち、従来の通信ネットワークを利用した電子機器（オンラインチャットシステム）においては、大人数が参加している場合、あるメッセージに回答しようとコメント文章作成中に、他の参加者のチャットが進行して、自分が回答しようとしているメッセージがスクロールしてしまい、画面から見えなくなり、回答しようとしているメッセージを読みながら文章を作成できない。
【００４６】
これに対し、本発明では、入力情報出力手段、ログ情報出力手段（及び分割表示手段）だけでなく、上述の選択情報出力手段及び各出力を分割表示する分割表示手段によっても、表示部２０での表示が制御される。従って、大勢でチャットしていると通常ログ画面３１がスクロールしてしまっていたものを、どのコメントに返事をしているのか分かるように任意のコメントを固定表示することが可能となる。上述の例では、あるメッセージＡ（「１２  田中：待ち合わせ場所が上野に変更になった」）を選択すると、そのメッセージＡはスクロールしないよう別途画面上（選択情報画面３３）に固定して表示される。従って、利用者は選択情報画面３３に表示されたそのメッセージＡを参照しながら、コメント文章を作成し、文字入力画面３２を参照しながらその文章を入力することができる。
【００４７】
図３は、図１の電子機器におけるデータの流れを具体的に説明するためのブロック図、図４は、図１の電子機器における基本的な画面構成例を示す図、図５は、図２の表示画面におけるメモリ間の情報のやり取りを説明するための図、図６は、図１の電子機器における処理の流れの一例を説明するための図である。
【００４８】
図３乃至図６を参照して、図１の電子機器１において図２の表示画面３０を表示する処理を詳細に説明する。図３に示すように、図１における揮発性メモリ１７は、バッファメモリとして、送信用メモリ（入力情報表示用メモリ）１７ａ、ログ表示用メモリ１７ｂ、及び選択情報表示用メモリ１７ｃを有する。なお、各メモリ１７ａ〜１７ｃは、１つのメモリを領域分割することで構成してもよいし、別メモリとして構成してもよい。
【００４９】
図２の表示画面３０のうち、文字入力画面（入力情報表示部）３２には、操作入力部２２から入力された入力情報が表示される。この入力情報とはチャットシステムの場合、具体的には利用者が送信しようとしているコメントであり、文字や画像等の情報のことである。より具体的には、まず、操作入力部２２から入力された入力情報（操作入力部２２がキーボードであれば文字データなど）は一度送信用メモリ１７ａに蓄えられる。このとき表示部２０の入力情報表示部３２に、その入力情報が表示される。
【００５０】
そして、入力情報表示部３２に入力情報が表示された状態で、ユーザが入力完了の操作を行うと、完了（送信）処理が実行され、通信部を介して他の電子機器に送信される。より具体的には、送信コマンドが入力されたときに、通信制御部１２が送信用メモリ１７ａから通信Ｉ／Ｆ１１を介して入力情報が送出される。ここで送出する宛先は、ハイブリッド型のチャットシステムの場合はサーバとなり、ピア・ツー・ピア型のチャットシステムの場合は相手の端末となる。入力情報が送出された後、送信用メモリ１７ａは開放され、入力情報表示部３２からの表示も解除される。
【００５１】
また、ログ画面（ログ表示部）３１には、通信Ｉ／Ｆ１１で送受信しログ表示用メモリ１７ｂに蓄積されたログ情報を読み出すことで、ログが表示される。ここで、ハイブリッド型のチャットシステムの場合は、上述の入力完了処理に伴ってサーバに送信された情報と相手から送信された情報とが、サーバからログ情報として送られ、通信Ｉ／Ｆ１１経由で受信後、ログ表示用メモリ１７ｂに移動させる。また、ピア・ツー・ピア型のチャットシステムの場合は、自身の入力情報は送信用メモリ１７ａからログ表示用メモリ１７ｂに移動される。このようにして、他の電子機器からの情報も通信部で受信し、ログ表示部３１に表示される。ログ表示部３１に表示される情報が表示可能な範囲を超えると、ログ表示部３１に表示されたログ情報は自動的にスクロールされる。
【００５２】
ログ表示部３１に表示される情報のうち、任意の情報を操作入力部２２を利用して選択すると、図４の右側に示したような選択情報画面（選択情報表示部）３３に選択された情報が表示される。選択される情報はログ表示部３１に表示されている単位あたりの情報でも、その一部分でも構わない。選択情報表示部３３に表示される情報は選択された情報の全部分でもよいが、選択情報表示領域内に収まらない場合は、その一部分でもよい。選択情報表示部３３はログ表示部３１に表示されている情報とは異なり、自動的にスクロールすることは無く、可視範囲から外れることはない。一方で、ログ選択がなされていないとき、図４左側で示すように選択情報表示部３３も表示しないようにするとよい。なお、本発明において、図４の左側及び右側に図示してある入力情報表示部３２は、必ずしも常時表示しておく必要は無い。
【００５３】
より具体的に、選択情報の選択から表示解除までの流れを、図５及び図６を参照して説明する。まず、図５で例示したように、ログ表示用メモリ１７ｂにログのデータが格納され、ログ表示部３１に対応するログ情報が表示されているものとする。なお、図５は、図２の表示画面３０で表示されている会話内容に先だってなされたチャットの場面での、メモリ間のデータの受け渡し例を示している。この例では、ログ表示用メモリ１７ｂには、通信Ｉ／Ｆ１１を介して受信した「１２  小渕：待合せ場所が上野に変更になったよ」、「１３  森：ホント？！なんで？」といったデータと共に、操作入力部２２から入力され入力情報表示用メモリ１７ａから移動された「１４  小泉：予定していた・・・だよ」といったデータが格納されている。なお、実際には、ログ表示用メモリ１７ｂには、「１２・・・」より前の会話内容のデータ及び／又は「１４・・・」より後の会話内容のデータも格納されており、表示時はスクロール操作によってその表示対象のデータが選択されることとなる。
【００５４】
ログ表示部３１に表示された情報のうち、固定表示のためにユーザによって或るメッセージ（ここでは「１３・・・」）が選択されたときには（ステップＳ１）、ログ表示用メモリ１７ｂの中から選択メッセージの部分（ここでは「１３・・・」）を切り出し、選択情報表示用メモリ１７ｃにコピーする（ステップＳ２）。続いて、選択情報表示用メモリ１７ｃにコピーされた選択メッセージ（ここでは「１３・・・」）のデータが、選択情報表示部３３へ出力され、表示される（ステップＳ３）。
【００５５】
ステップＳ３で選択情報の表示後は、選択コメントの表示を終了するか否かを判定し（ステップＳ４）、終了するのであれば、選択コメントの選択情報表示部３３への出力を解除し（ステップＳ５）、選択情報表示用メモリ１７ｃのデータを開放又はクリアして（ステップＳ６）、処理を終了する。一方、ステップＳ４でＮＯの場合、ステップＳ３の処理をそのまま続行する。なお、ステップＳ４での処理については他の実施形態で後述する。
【００５６】
このように、利用者はログ表示部３１に表示される情報のうち、任意の情報を常に可視範囲（選択情報表示部３３）に表示させながら情報の入力を実行することが可能となる。すなわち、本発明によれば、チャットを行うときにログ情報画面上に表示されているログ情報の中から任意の情報を取り出し、ログ情報画面とは別に表示することによって、選択した情報を見ながらその情報に対するコメントの入力が行えるようになる。従って、オンラインチャットシステムにおいて、喩え小さな画面であっても、スクロール可能な表示情報の一部を切り出して別途固定表示させることによって、常に可視範囲に情報を確認しながらコメントの入力をすることが可能であるので、利用者の利便性の向上を図ることができる。
【００５７】
図７は、図１の電子機器における他の画面構成例を示す図で、選択情報が２つある場合の画面構成例を示す図である。本発明に係る他の実施形態として、上述の各実施形態において、選択して表示できるログ（メッセージ）を複数とすることが好ましい。
【００５８】
ログ表示部に表示される情報の中から常に可視範囲に表示させておきたい情報が複数ある場合、利用者は複数の情報を選択することにより、選択情報表示部を複数表示させることを可能にする。そのため、本実施形態においては、情報選択手段は、任意の情報として複数の情報（ログ情報）を選択する手段を有するものとし、且つ、選択情報出力手段は、情報選択手段で選択された複数の情報を同時に表示部２０に別途表示させるよう表示部２０に出力する手段を有するものとする。言い換えると、情報選択手段がログ表示手段から複数の情報を選択し、分割表示手段が複数の選択情報表示手段の情報を表示部２０に表示させるよう構成する。
【００５９】
図７（Ａ）では２つの選択情報を常に可視範囲、すなわち選択情報表示部ａ（３３ａ）及び選択情報表示部ｂ（３３ｂ）に表示させている。図７（Ｂ）では２つの選択情報を常に選択情報表示部ａ（３３ａ）及び選択情報表示部ｂ（３３ｂ）に表示させると共に、それぞれの選択情報表示部に対応した入力情報表示部ａ（３２ａ）及び入力情報表示部ｂ（３２ｂ）を設けている。ここで、選択情報表示部ａ（３３ａ）と入力情報表示部ａ（３２ａ）とでなるセットや、選択情報表示部ｂ（３３ｂ）と入力情報表示部ｂ（３２ｂ）とでなるセットを、セット内で同色で表示するようにすると分かり易い。なお、図７では常時表示させている選択情報表示部が２つの例を示したが、それ以上の選択及び表示も当然可能である。
【００６０】
図８は、図１の電子機器における他の画面構成例を示す図で、操作中の画面を識別可能にする画面構成例を示す図である。本発明では表示部２０が複数の表示領域をもつこととなるため、本発明の他の実施形態として、上述の各実施形態においてどの表示領域を操作しているのかを識別するための手段を設けることが好ましい。
【００６１】
そのため、本実施形態では、入力情報、ログ情報、選択情報のいずれかの表示領域（表示部３１〜３３）を選択する選択手段（表示画面選択手段）を備え、且つ、分割表示手段は、その選択手段で選択された表示領域を操作可能画面として、他の非選択の表示領域を操作不能画面として、識別可能に表示する手段を有するものとする。このように、選択された表示画面を操作可能画面として他の非選択表示画面と識別できるように表示する。
【００６２】
具体的には、図８（Ａ）の太枠強調部３２Ａで例示したように、操作している表示部の枠の太さを変えて強調したり、図８（Ｂ）の色強調部３２Ｂで例示したように、操作している表示部の色を変えることで、アクティブな表示領域を示すなどが考えられる。図８では、入力情報表示部３２を上述の選択手段で選択した結果の例を示したが、他の表示部（ログ表示部３１や選択情報表示部３３）を選択した場合も同様に選択した部分が識別可能に表示される。
【００６３】
電子機器１内の具体的な処理としては、例えば、操作入力部２２において選択したい表示部３１〜３３のいずれかにカーソルを移動させる操作をユーザが行うと、主制御部１６が、送信用（入力情報表示用）メモリ１７ａ、ログ表示用メモリ１７ｂ、及び選択情報表示用メモリ１７ｃのうちカーソル移動先に対応したメモリ（図８の例では送信用メモリ１７ａ）にアクセスを切り換え、操作可能画面とする。そして、予め全ての表示領域の枠や背景を同じように表示するような設定にしておき、現在メモリアクセスされている表示領域の枠や背景のみを識別可能に変更するとよい。
【００６４】
図９は、図１の電子機器における他の画面構成例を示す図で、選択されている情報をログ画面において強調表示する画面構成例を示す図である。上述の各実施形態では、選択されたログ情報は選択情報として選択情報表示部に表示されることとなるが、本発明の他の実施形態として、その他に、ログ表示内の表示においても、選択されている選択情報を他の非選択情報と識別できるように表示することが好ましい。
【００６５】
そのため、本実施形態におけるログ情報出力手段は、表示部２０で表示されたログ情報のうち、情報選択手段で選択された情報を他の非選択情報と識別可能に表示するように、表示部２０に出力する手段を有するものとする。図９の例では、情報選択手段で選択された情報として「１２  小渕：待ち合わせ場所が変更になったよ」が下線によって強調表示されている。
【００６６】
すなわち、ログ表示部３１に表示されている情報のうち選択情報表示部３３に表示されている情報の元情報を強調表示部３１ａとして識別して表示することにより、選択情報表示部３３に表示されている情報がログ表示部３１の何処に位置しているかを容易に識別できるようにする。この場合の識別方法は元情報の色を変える、表示文字サイズを変える、表示文字の太さを変える、表示文字にアンダーラインを引く、などが考えられる。また、ログ表示部３１を人為的にスクロールしているときに、ログ画面上に元情報が表示された場合に音や光や振動で利用者に報知してもよい。
【００６７】
また、本発明の他の実施形態として、上述の各実施形態に係る電子機器１において、選択情報出力手段で出力された選択情報を解除し、表示部２０での表示を解除する選択情報表示解除手段を備えることが好ましい。ここでの表示解除とは、図４の右側の選択情報表示部３３が表示された状態から左側の表示されていない状態へと移行することがそれに相当する。
【００６８】
この解除によって、選択情報表示部が空欄になってもよく、選択情報表示部を表示画面３０から消すようにしてもよい。このように、選択情報表示部に表示されている選択情報を容易に解除できるようにしておくことで、ログ表示部の表示領域を不要に占有することを防ぐことができる。
【００６９】
この選択情報表示解除手段で実行する選択情報の表示解除としては、（１）操作入力部２２による利用者の操作に基づく表示解除、（２）返答コメントの入力が完了した時点での表示解除、（３）返信コメントを送信した時点での表示解除など、さまざまな例が適用できる。いずれの処理を採用した場合でも、図６のステップＳ４での判定に用いられる。
【００７０】
上記（１）の形態を採用する場合、選択情報表示解除手段は、ユーザから操作入力部２２で選択情報の表示解除指示操作を受け付ける手段と、表示解除指示操作がなされたことを検出して、表示部２０（選択情報表示部３３）での選択情報の表示を解除する手段とを具備しておけばよい。すなわち、この実施形態では、選択されて固定表示されたメッセージは、利用者が予め定められた所定の表示解除指示操作を行ったときに、自動的に選択情報の表示がクリアされる。
【００７１】
上記（２）の形態を採用する場合、選択情報表示解除手段は、選択情報に対する応答として操作入力部２２による情報の入力が完了したことを、ユーザが操作入力部２２などで実行した入力完了操作で検出して、表示部２０（選択情報表示部３３）での選択情報の表示を解除する手段を具備するとよい。すなわち、この実施形態では、選択されて固定表示されたメッセージは、利用者がそのメッセージに対する回答を入力を完了したときに、自動的に選択情報の表示がクリアされる。
【００７２】
上記（３）の形態を採用する場合、選択情報表示解除手段は、選択情報に対する応答として入力情報を通信部で送信後に、表示部２０（選択情報表示部３３）での選択情報の表示を解除する手段を具備するとよい。すなわち、この実施形態では、選択されて固定表示されたメッセージは、利用者がそのメッセージに対する回答を入力して通信Ｉ／Ｆ１１を介して送信した後、自動的に選択情報の表示がクリアされる。
【００７３】
上記（２）及び（３）の形態では、自動的に選択情報表示部に表示されていた内容を削除させるか、若しくは選択情報表示部が表示画面３０から削除させるので、上記（１）の形態に比べ、利用者が応答情報送信後に手動で表示を削除する手間を省くことができる。
【００７４】
上記（３）の形態を採用した場合を例に、具体的な画面を挙げて説明すると、図４の例では、操作入力部２２によるコメント入力に従い、入力情報表示部３２へそのコメントが表示され、その後の送信操作（入力完了操作）によって、送信が完了したとき、表示画面３０が図４の左側から右側へ移行する。
【００７５】
図７（Ａ）の例では、最初に選択され表示されたものが選択情報表示部ａ（３３ａ）で次に選択表示されたものが選択情報表示部ｂ（３３ｂ）であるとすると、操作入力部２２によるコメント入力に従い、入力情報表示部３２へそのコメントが表示され、その後の送信操作によって、送信が１回完了したとき、選択情報表示部ａ（３３ａ）に対するコメント入力が完了したものとみなして、選択情報表示部ａ（３３ａ）の表示を解除する。その後、さらに送信が１回完了したとき、選択情報表示部ｂ（３３ｂ）に対するコメント入力が完了したものとみなして、選択情報表示部ｂ（３３ｂ）の表示も解除する。なお、選択情報表示部ｂ（３３ｂ）の表示解除前にさらに１つのログが選択された場合には、３回目の送信完了を機に表示解除する選択情報表示部として表示すればよい。
【００７６】
図７（Ｂ）の例では、操作入力部２２で入力情報表示部ａ（３２ａ）を選択してコメント入力を行うことで、入力情報表示部ａ（３２ａ）へそのコメントが表示される。その後の送信操作によって送信が１回完了したとき、選択情報表示部ａ（３３ａ）に対するコメント入力が完了したものとみなして、選択情報表示部ａ（３３ａ）の表示を解除すると共に、入力情報表示部ａ（３２ａ）の表示も解除するとよい。その後、さらに送信が１回完了したとき、操作入力部２２で入力情報表示部ｂ（３２ｂ）を選択してコメント入力を行うことで、入力情報表示部ｂ（３２ｂ）へそのコメントが表示される。その後の送信操作によってこのコメントの送信が完了したとき、選択情報表示部ｂ（３３ｂ）に対するコメント入力が完了したものとみなして、選択情報表示部ｂ（３３ｂ）の表示も解除する。このときも入力情報表示部ｂ（３２ｂ）の表示の解除も併せて実行してもよい。しかしながら、それを実行する場合、少なくとも１つの入力情報表示部を入力可能に表示画面３０に残しておくことが好ましく、従って、別途入力情報表示部を表示画面３０に表示させておくとよい。
【００７７】
また、本発明の他の実施形態として、上述の各実施形態における選択情報出力手段は、情報選択手段で情報が選択された際、以前に出力していた情報に差し替えて表示部２０へ出力する手段を有することが好ましい。すなわち、この実施形態では、選択情報表示の情報を選択変更可能とし、次のログ選択がなされた場合、選択情報表示をその選択された選択情報に書き換えるようにする。
【００７８】
このように、本実施形態では、選択情報表示部に表示されている選択情報を容易に変更できるようにしておく。具体的には最初にログ表示部の情報を選択したときと同じように操作入力部２２により選択するだけで可能である。この場合、先に選択されて選択情報表示部に表示されていた情報は削除され、利用者が選択する際に以前に選択された情報の表示を解除しなくてもよくなる。
【００７９】
図１０は、図１の電子機器における他の画面構成例を示す図で、各表示領域の割合を変化可能とした画面構成例を示す図である。本発明に係る他の実施形態として、上述の各実施形態において、画面上の表示領域の割合が可変であることが好ましい。
【００８０】
そのため、分割表示手段は、入力情報、ログ情報、選択情報とに対し、それぞれの画面上の表示領域の割合を可変させる手段を有するようにする。言い換えると、入力情報表示手段及びログ表示手段及び選択情報表示手段の表示行数を可変とする。例えば、各表示部３１，３２，３３の文字数によって自動的に変更する方法、ユーザが操作入力部２２でカーソルを使って表示したい部分を選択するなどして変更する方法、選択情報表示領域のサイズを優先して表示する方法など、様々な形態が採用できる。
【００８１】
この可変手段は、例えば図２の可変バー３４を操作入力部２２で操作するなどして、図１０の右側の表示画面３０から左側の表示画面３０のごとく可変させる。すなわち、図１０で示すように、表示画面３０に表示されているログ表示部３１、入力情報表示部３２、選択情報表示部３３の表示行数を自動又は手動で変更できるようにしておく。具体的には、主制御部１６が各メモリ１７ａ，１７ｂ，１７ｃから実際にデータを読み出して表示部２０（表示ドライバ１９）へ渡す範囲を変更する制御を行うなどして実現できる。
【００８２】
これにより、例えば、選択した情報が長文である場合にはその情報の一部分しか選択情報表示部３３に表示されない、という問題が解消される他、逆に長文の情報の一部分のみの表示で充分である場合に、選択情報表示部３３の可視範囲には長文の情報の一部分のみを表示させ、可視範囲外の部分を閲覧する際には選択情報表示部３３をスクロールさせることによって閲覧可能とすることができる。ログ表示部３１や入力情報表示部３２についても同様である。
【００８３】
図１１は、図１の電子機器における他の画面構成例を示す図で、文字入力画面にコメントの元となる選択情報の番号及び名前を挿入した画面構成例を示す図である。本発明の他の実施形態として、上述の各実施形態において、入力情報表示部３２に選択情報の従属情報３２Ｃを含む定例文が挿入されることが好ましい。
【００８４】
そのため、本実施形態における入力情報出力手段は、入力手段から入力された情報の他に、情報選択手段で選択された選択情報に含まれる従属情報を含む定型文の情報を、入力情報の一部として、図１の表示部２０へ出力する手段を有し、図１１の表示画面３０のごとき画面を表示させる。ここで、入力情報出力手段は、表示部２０への出力だけでなく、このような定型文の情報を送信情報として通信部へも出力するようにするとよい。これにより、通信相手（受信側）のログ表示部にも選択情報の定型文や選択情報そのものが表示されるので、受信側でもどのコメントに対してのメッセージであるのかを把握することができる。
【００８５】
本実施形態では、表示画面３０において、選択情報表示部３３に選択表示したログ表示部３１内の情報の従属情報３３Ｃと同等の従属情報３２Ｃを入力情報表示部３２に表示している。従属情報とは、具体的には選択した情報の番号、情報発信元の名前やハンドルネームなどが挙げられる。これにより、利用者は送信する情報を、通信相手は受信した情報がどの情報に対する応答であるのかを、容易に判断できる、という効果がある。図１１を例に挙げると、選択情報表示部３３には「１２  小渕：待合せ場所が上野に変更になったよ」というコメントが選択され表示されているが、入力情報表示部３２にはコメントの従属情報３２Ｃである「１２小渕」と返信を意味する定例文「Ｔｏ：」と共に表示されている。図１１では、入力情報表示部３２の文頭に表示して送信できるようにしたが、例えば「＞小渕」といった定例文を文尾に付加して送信可能なように入力情報表示部３２に入力してもよい。これにより利用者及び通信相手は、この利用者のコメントがどのメッセージに対する応答であるかを判断し易くなる。
【００８６】
また、図１１で説明した実施形態の代替として、入力情報出力手段は、入力手段から入力された情報の他に、情報選択手段で選択された選択情報を、入力情報の一部として、表示部２０へ出力する手段を有するようにしてもよい。また、この実施形態においても、入力情報出力手段は、表示部２０への出力だけでなく、選択情報を送信情報として通信部へも出力するようにするとよい。これにより、通信相手（受信側）のログ表示部にも選択情報の定型文や選択情報そのものが表示されるので、受信側でもどのコメントに対してのメッセージであるのかを把握することができる。
【００８７】
この実施形態では、選択情報表示部に選択したログ表示部内の元情報を入力情報表示部に表示する。この場合、選択情報表示部への選択情報の表示は同じものが表示されることになる。これにより、入力情報表示部に選択情報そのものが挿入されることとなるので、その選択情報と共にコメントを相手に送信することになり、通信相手は受信した情報がどの元情報に対する応答であるのかを容易に判断することが可能となる。
【００８８】
図１２は、図１の電子機器における他の画面構成例を示す図で、選択情報表示画面に受信したログ情報の中から所定情報を抜き出してその所定情報が示すログ情報を表示した画面構成例を示す図である。本発明の他の実施形態として、上述の各実施形態において、受信したログ情報に含まれる所定情報を抜き出してその所定情報が示すログ情報を検索して、自動的に選択情報表示部に表示させるようにしてもよい。
【００８９】
そのため、本実施形態における情報選択手段は、ログ情報出力手段からの出力により図１の表示部２０で表示された情報、例えば図１２の表示画面３０におけるログ表示部３１に表示された情報から、所定情報を抽出し、抽出した所定情報に係わるログ情報を選択する手段を有するようにする。
【００９０】
図１２の表示画面３０で例示すると、所定情報としては、送信側で選択された結果としてログ情報に含まれる送信側選択情報３１Ｄが該当する。すなわち、受信側の端末がメッセージを受信したとき、そのメッセージに付加された定例文を判別する。この例では、「２６  森・・・・」のメッセージに含まれる送信側選択情報３１Ｄ（「＞＞１２  小渕」）といった「＞＞」に続きログ番号（及び発言者名）が含まれる定例文、或いは送信側が指定したことを示す定例文「＞＞」そのものを判別する。なお、ここで判別する所定情報としては、定例文に限ったものではない。そして、受信端末は、内部のログ表示用メモリ１７ｂ中の通信ログから「＞＞」に続く「１２  小渕」に相当する一文（「１２  小渕：待ち合わせ場所が上野になったよ」を検索して読み出し、選択情報表示用メモリ１７ｃにコピーして、自動選択情報３３Ｄとして図１２のように選択情報表示部３３に表示する。
【００９１】
一方、この送信側が指定したコメントである自動選択情報３３Ｄの表示が解除されるケースとしては、（１）利用者が操作入力部２２によって解除する場合、（２）画面がスクロールして該当メッセージ（上の例では「２６  森」のメッセージ）がスクロールして表示画面から外れた場合、（３）新たなメッセージを受信した場合、（４）受信側が新たな入力情報を入力し終えた場合、などが挙げられる。
【００９２】
また、ここでは受信側端末でログ表示されているメッセージに対して自動選択情報３３Ｄを表示するよう説明したが、ログ情報から選択し選択情報表示部に表示された選択情報（既にログ表示から消えていてもよい）の中から、「＞＞」のごとき所定情報を抜き出して、その所定情報が示すログ情報を検索して、自動的に選択情報表示部に「１２  小渕：待ち合わせ場所が上野に変更になったよ」といった自動選択情報３３Ｄを表示してもよい。例えば、最初に選択された選択情報は、図７（Ａ）の選択情報表示部ａ（３３ａ）に表示しておき、そこに「＞＞」が含まれれば、図７（Ａ）の選択情報表示部ｂ（３３ｂ）に自動的に表示すればよい。この例では、情報選択手段は、ログ情報出力手段からの出力により図１の表示部２０で表示された情報として、ユーザ選択により例えば選択情報表示部３３に一度表示された情報から、さらに、所定情報を抽出し、抽出した所定情報に係わるログ情報を選択することとなる。
【図１】
0004545194.tif 000002
【図２】
0004545194.tif 000003
【図３】
0004545194.tif 000004
【図４】
0004545194.tif 000005
【図５】
0004545194.tif 000006
【図６】
0004545194.tif 000007
【図７】
0004545194.tif 000008
【図８】
0004545194.tif 000009
【図９】
0004545194.tif 000010
【図１０】
0004545194.tif 000011
【図１１】
0004545194.tif 000012
【図１２】
0004545194.tif 000013